(57)【要約】【課題】従来のような小型のプリントに、画像、音声、動画等の多彩なデータを付加することで、プリントを受け取った相手が多彩な情報を得ることができるシステム及び方法を提供する。【解決手段】無線タグデータ読込装置１２０により無線タグ付きプリント１１０から無線タグ１１２の識別子を読み取り、個人データを外部から取り込み、データ入出力要求統括装置１４０に識別子と個人データとを対応づけて送信すると、個人情報データベース１５０に格納される。その無線タグ付きプリント１１０を手にした相手方は、無線タグデータ読出装置１３０を用いて無線タグ付きプリント１１０から無線タグ１１２の識別子を読み取り、個人情報データベース１５０からその識別子に対応する個人データを取得する。それを受けた無線タグデータ読出装置１３０は、データ内容の表示、再生等を行う。【選択図】            図１
2004164119.tif 000002
【特許請求の範囲】
【請求項１】
固有の識別子を有する無線タグを備えた無線タグ付きプリントと、該無線タグ付きプリントを作成する無線タグ付きプリント店舗端末装置と、前記識別子と個人データとを対応させて格納する個人情報データベースと、個人データを入力するとともに、無線タグ付きプリントから前記識別子を読み込む無線タグデータ読込装置と、前記識別子と個人データとを個人情報データベースから読み出す無線タグデータ読出装置と、前記無線タグデータ読込装置と無線タグデータ読出装置と個人情報データベースとに有線または無線で接続され、前記識別子と個人データの個人情報データベースへの入出力の要求を統括するデータ入出力要求統括装置とを有するコミュニケーション支援システムであって、
前記無線タグ付きプリント店舗端末装置は、
ユーザの写真を撮影する写真撮影手段と、
撮影したユーザの写真を無線タグが埋め込まれた台紙に印刷する写真印刷手段とを有し、
前記無線タグ付きプリントは、
前記無線タグデータ読込装置と通信する無線タグデータ読込装置通信手段と、
前記無線タグデータ読出装置と通信する無線タグデータ読出装置通信手段とを有し、
前記無線タグデータ読込装置は、
ユーザの個人データを読み込む個人データ読込手段と、
前記無線タグ付きプリントと通信する無線タグ付きプリント通信手段と、
前記データ入出力要求統括装置と通信するデータ入出力要求統括装置通信手段とを有し、
前記無線タグデータ読出装置は、
個人情報データベースから読み出した個人データを表示する個人データ表示手段と、
前記無線タグ付きプリントと通信する無線タグ付きプリント通信手段と、
前記データ入出力要求統括装置と通信するデータ入出力要求統括装置通信手段とを有し、
前記データ入出力要求統括装置は、
前記無線タグデータ読込装置からの前記個人情報データベースへの識別子及び個人データの格納要求に従い、識別子及び個人データを対応づけて前記個人情報データベースに格納するデータベース格納手段と、
前記無線タグデータ読出装置からの前記識別子に対応する個人データの読出要求に従い、個人データを前記個人情報データベースから読み出す個人データ読出手段と、
前記無線タグデータ読込装置と通信する無線タグデータ読込通信手段と、
前記無線タグデータ読出装置と通信する無線タグデータ読出通信手段とを有する
ことを特徴とするコミュニケーション支援システム。
【請求項２】
前記無線タグデータ読込装置は、前記無線タグ付きプリント店舗端末装置内に備えた
ことを特徴とする請求項１記載のコミュニケーション支援システム。
【請求項３】
前記無線タグデータ読込装置は、ユーザの写真を撮影する写真撮影手段と、撮影したユーザの写真を無線タグが埋め込まれた台紙に印刷する写真印刷手段とを有する
ことを特徴とする請求項１記載のコミュニケーション支援システム。
【請求項４】
前記データ入出力要求統括装置は、ユーザＩＤとパスワードを認証するＩＤパスワード認証手段を有する
ことを特徴とする請求項１乃至３何れか１項記載のコミュニケーション支援システム。
【請求項５】
前記個人データは実データである
ことを特徴とする請求項１乃至４何れか１項記載のコミュニケーション支援システム。
【請求項６】
前記個人データは別途保存してある実データの所在のありかを示すデータである
ことを特徴とする請求項１乃至４何れか１項記載のコミュニケーション支援システム。
【請求項７】
無線タグを具備したプリントにより、プリントだけでなく個人データをも相手方に伝えることのできるコミュニケーション支援方法であって、
無線タグデータ読込装置により前記無線タグの固有の識別子とユーザの個人データとを読み込む工程と、
前記無線タグデータ読込装置により、前記識別子と個人データとを関連づけてデータ入出力要求統括装置に送信する工程と、
前記タグデータ読込装置による識別子及び個人データの前記個人情報データベースへの格納要求に従い、前記データ入出力要求統括装置により、前記識別子及び個人データを対応させて前記個人情報データベースに格納する工程と、
無線タグデータ読出装置からの、前記個人情報データベースからの前記識別子に対応する個人データの読出要求に従い、前記データ入出力要求統括装置により、個人データを前記個人情報データベースから読み出し、前記無線タグデータ読出装置に送信する工程と、
前記無線タグデータ読出装置により、読み出した個人データを表示する工程とを有する
ことを特徴とするコミュニケーション支援方法。
【請求項８】
前記無線タグ付きプリントは、無線タグを具備したプリントを作成する無線タグ付きプリント店舗端末装置により、ユーザの写真を撮影し、撮影したユーザの写真を、無線タグが埋め込まれた台紙に印刷して作成する
ことを特徴とする請求項７記載のコミュニケーション支援方法。
【請求項９】
前記無線タグ付きプリントは、無線タグを具備したプリントを作成する無線タグデータ読込装置により、ユーザの写真を撮影し、撮影したユーザの写真を、無線タグが埋め込まれた台紙に印刷して作成する
ことを特徴とする請求項７記載のコミュニケーション支援方法。
【請求項１０】
前記無線タグデータ読込装置により、ユーザＩＤ及びパスワードを入力する工程と、前記データ入出力要求統括装置において、ユーザＩＤ及びパスワードを認証する工程とを含む
ことを特徴とする請求項７乃至９何れか１項記載のコミュニケーション支援方法。
【請求項１１】
前記個人データは実データである
ことを特徴とする請求項７乃至１０何れか１項記載のコミュニケーション支援方法。
【請求項１２】
前記個人データは別途保存してある実データの所在のありかを示すデータである
ことを特徴とする請求項７乃至１０何れか１項記載のコミュニケーション支援方法。
【発明の詳細な説明】
【０００１】
【発明の属する技術分野】
本発明は、無線タグを具備した無線タグ付きプリントを受け取った者が、ネットワークを介して画像、音声、動画等の多彩なデータを取得することのできるシステム及び方法に関する。
【０００２】
【従来の技術】
従来は、ゲームセンター等の写真撮影装置が、２．０ｃｍ×１．５ｃｍ四方程度、あるいは大きいものでは４．０ｃｍ×３．５ｃｍ四方程度のシール型のプリントを提供していた。これは箱形の機械にディスプレイが設置されており、カメラに写ったユーザがそのディスプレイに写るようになっている。ユーザはプリントするバックの画像等を選択肢の中から自由に選び出し、その後、ユーザはディスプレイに写った自分を見て、気に入った写り具合で決定し撮影する。すると選んだバック画像に、撮影したユーザがプリントされ、シール状のプリントとしてユーザに提供される（例えば、特許文献１、特許文献２）。ユーザはそれらを多数、手帳に貼ってユーザ同士で見せ合ったり交換しあったりして、ユーザ間でのコミュニケーションツールとして使用していた。
【０００３】
【特許文献１】
特許第２９７７５３２号公報
【特許文献２】
特許第２９７７５３３号公報
【０００４】
【発明が解決しようとする課題】
しかしながら、これまで使用されていたのは、単なる小型のシール型の写真（プリント）であり、それゆえに印刷されたプリント以上の記録をプリント上に残すことができず、ペンなどを使って直接書き込むにもスペース的な制限があり、あくまでこれを人と交換することで二次元視覚的にプリントを確認する楽しみを提供するものにすぎなかった。
【０００５】
本発明は上記問題に鑑みてなされたものであり、その目的とするところは、従来のような小型のプリントに無線タグを取り付け、その無線タグ付きプリントを受け取った相手が、プリントの絵による視覚的な情報だけでなく画像、音声、動画等の多彩な情報を得ることができ、ユーザ間でのコミュニケーションの幅をより広げることのできるシステム及び方法を提供することにある。
【０００６】
【課題を解決するための手段】
前記目的を達成するため、図１に示すように、請求項１では、固有の識別子を有する無線タグ１１２を備えた無線タグ付きプリント１１０と、該無線タグ付きプリント１１０を作成する無線タグ付きプリント店舗端末装置１００と、前記識別子と個人データとを対応させて格納する個人情報データベース１５０と、個人データを入力するとともに、無線タグ付きプリント１１０から前記識別子を読み込む無線タグデータ読込装置１２０と、前記識別子と個人データとを個人情報データベース１５０から読み出す無線タグデータ読出装置１３０と、前記無線タグデータ読込装置１２０と無線タグデータ読出装置１３０と個人情報データベース１５０とに有線または無線で接続され、前記識別子と個人データの個人情報データベース１５０への入出力の要求を統括するデータ入出力要求統括装置１４０とを有するコミュニケーション支援システムであって、前記無線タグ付きプリント店舗端末装置１００は、ユーザの写真を撮影する写真撮影手段１０１と、撮影したユーザの写真を無線タグが埋め込まれた台紙に印刷する写真印刷手段１０２とを有し、前記無線タグ付きプリント１１０は、前記無線タグデータ読込装置と通信する無線タグデータ読込装置通信手段１１３と、前記無線タグデータ読出装置と通信する無線タグデータ読出装置通信手段１１４とを有し、前記無線タグデータ読込装置１２０は、ユーザの個人データを読み込むデータ読込手段１２１と、前記無線タグ付きプリントと通信する無線タグ付きプリント通信手段１２２と、前記データ入出力要求統括装置１４０と通信するデータ入出力要求統括装置通信手段１２３とを有し、前記無線タグデータ読出装置１３０は、前記個人情報データベースから読み出した個人データを表示する個人データ表示手段１３１と、前記無線タグ付きプリント１１０と通信する無線タグ付きプリント通信手段１３２と、前記データ入出力要求統括装置と通信するデータ入出力要求統括装置通信手段１３３とを有し、前記データ入出力要求統括装置１４０は、前記無線タグデータ読込装置からの前記個人情報データベースへの識別子及び個人データの格納要求に従い、識別子及び個人データを対応させて前記個人情報データベースに格納するデータベース格納手段１４１と、前記無線タグデータ読出装置からの前記識別子に対応する個人データの読出要求に従い、個人データを前記個人情報データベースから読み出す個人データ読出手段１４２と、前記無線タグデータ読込装置と通信する無線タグデータ読込通信手段１４３と、前記無線タグデータ読出装置と通信する無線タグデータ読出通信手段１４４とを有することを特徴とするコミュニケーション支援システムをもって解決手段とする。
【０００７】
請求項１の発明によると、ユーザは、無線タグ付きプリント店舗端末装置１００の写真撮影手段１０１により撮影し、写真印刷手段１０２によりプリント１１１と固有の識別子のついた無線タグ１１２付きのプリント１１０を得る。そして、無線タグデータ読込装置１２０の無線タグ付きプリント通信手段１２２により、無線タグ付きプリント１１０に無線タグ１１２固有の識別子の取得を要求すると、無線タグ付きプリント１１０は無線タグデータ読込装置通信手段１１３により識別子を無線タグデータ読込装置１２０へ送信する。そして、無線タグデータ読込装置１２０のデータ読込手段１２１により画像、動画、映像等のデータを読み込み、データ入出力要求統括装置通信手段１２２により、データ入出力要求統括装置１４０へタグの識別子とデータを対応させて送信する。データ入出力要求統括装置１４０は、無線タグデータ読込装置通信手段１４３によりこのデータを受信し、データベース格納手段１４１により、個人情報データベース１５０にデータを格納する。この無線タグ付きプリント１１０が相手方に渡り、その相手方が無線タグデータ読出装置１３０を使用し、無線タグ付きプリント通信手段１３２によって無線タグ１１２の識別子の取得要求を行うと、無線タグ付きプリント１１０は無線タグデータ読出装置通信手段１１４により識別子を無線タグデータ読出装置１３０へ送信する。次いで、データ入出力要求統括装置通信手段１３３により、タグの識別子に対応するデータを、個人情報データベース１５０から読み出すように、データ入出力要求統括装置１４０に要求すると、データ入出力要求統括装置１４０は個人データ読出手段１４２により個人情報データベース１５０から所望のデータを読み出し、無線タグデータ読出装置通信手段１４４により無線タグデータ読出装置１３０へ送信する。無線タグデータ読出装置１３０は、データ入出力要求統括装置通信手段１３２によりデータを受信し、個人データ表示手段１３１により、データを表示、再生等する。
【０００８】
請求項２では、前記無線タグデータ読込装置１２０は、前記無線タグ付きプリント店舗端末装置１００内に備えたことを特徴とする請求項１記載のコミュニケーション支援システムをもって解決手段とする。
【０００９】
請求項２の発明によると、無線タグ付きプリント店舗端末装置１００において、データの読み込みや通信ができるので、ユーザが無線タグデータ読み込み装置１２０を所有する必要がない。
【００１０】
請求項３では、前記無線タグデータ読込装置１２０は、ユーザの写真を撮影する写真撮影手段１２４と、撮影したユーザの写真を無線タグが埋め込まれた台紙に印刷する写真印刷手段１２５とを有することを特徴とする請求項１記載のコミュニケーション支援システムをもって解決手段とする。
【００１１】
請求項３の発明によると、無線タグデータ読込装置１２０を使用して、無線タグ付きプリント１１０を作成することができるので、ユーザは無線タグ付きプリント店舗端末装置１００まで出向いていく必要がなく、自宅あるいはその他のいたるところで無線タグ付きプリントを作成することができる。
【００１２】
請求項４では、前記データ入出力要求統括装置１４０は、ユーザＩＤとパスワードを認証するＩＤパスワード認証手段１４５を有することを特徴とする請求項１乃至３何れか１項記載のコミュニケーション支援システムをもって解決手段とする。
【００１３】
請求項４の発明によると、予め格納されているユーザＩＤとパスワードに対応するユーザＩＤとパスワードの保持者のみがシステムを利用でき、システムの安全性が保たれる。
【００１４】
請求項５では、前記個人データは実データであることを特徴とする請求項１乃至４何れか１項記載のコミュニケーション支援システムをもって解決手段とする。
【００１５】
請求項５の発明によると、画像、音声、テキストメッセージ等を記録した電磁媒体等から無線タグデータ読込装置１２０を介して入力することができる。
【００１６】
請求項６では、前記個人データは別途保存してある実データの所在のありかを示すデータであることを特徴とする請求項１乃至４何れか１項記載のコミュニケーション支援システムをもって解決手段とする。
【００１７】
請求項６の発明によると、画像、音声、テキストメッセージ等の代わりに、ＵＲＬやメールアドレス等ですむので、個人情報データベース１５０のメモリの量をセーブすることができる。
【００１８】
請求項７では、無線タグを具備したプリントにより、プリントだけでなく個人データをも相手方に伝えることのできるコミュニケーション支援方法であって、無線タグデータ読込装置１２０により前記無線タグ１１２の固有の識別子とユーザの個人データとを読み込む工程と、前記無線タグデータ読込装置１２０により、前記識別子と個人データとを対応させてデータ入出力要求統括装置１４０に送信する工程と、前記タグデータ読込装置１２０による識別子及び個人データの前記個人情報データベース１５０への格納要求に従い、前記データ入出力要求統括装置１４０により、前記識別子及び個人データを対応させて前記個人情報データベース１５０に格納する工程と、無線タグデータ読出装置１３０からの、前記個人情報データベース１５０からの前記識別子に対応する個人データの読出要求に従い、前記データ入出力要求統括装置１４０により、個人データを前記個人情報データベース１５０から読み出し、前記無線タグデータ読出装置１４０に送信する工程と、前記無線タグデータ読出装置１４０により、読み出した個人データを表示する工程とを有することを特徴とするコミュニケーション支援方法をもって解決手段とする。
【００１９】
請求項７の発明によると、ユーザは、無線タグデータ読込装置１２０により、無線タグ付きプリント１１０から無線タグ固有の識別子を読み取り、また、無線タグに入力したいデータを外部から取り込む。それとともに、データ入出力要求統括装置１４０に、無線タグの識別子とデータとを関連づけて送信すると、個人情報データベース１５０に格納される。その無線タグ付きプリント１１０が相手方の手に渡り、その相手方が無線タグデータ読出装置１３０を用いて無線タグ付きプリント１１０から無線タグの識別子を読み取る。そして、データ入出力要求統括装置１４０に、その識別子に対応するデータの取得を要求すると、データ入出力要求統括装置１４０は、個人情報データベース１５０からデータを読み出し、無線タグデータ読出装置１３０に送信する。それをうけた無線タグデータ読出装置１３０は、データ内容の表示、再生等を行う。
【００２０】
請求項８では、前記無線タグ付きプリント１１０は、無線タグ１１２を具備したプリントを作成する無線タグ付きプリント店舗端末装置１００により、ユーザの写真を撮影し、撮影したユーザの写真を、無線タグ１１２が埋め込まれた台紙に印刷して作成することを特徴とする請求項７記載のコミュニケーション支援方法をもって解決手段とする。
【００２１】
請求項８の発明によると、無線タグ付きプリント店舗端末装置１００により、データの読み込みや通信ができるので、ユーザが無線タグデータ読み込み装置１２０を所有する必要がない。
【００２２】
請求項９では、前記無線タグ付きプリント１１０は、無線タグ１１２を具備したプリントを作成する無線タグデータ読込装置１２０により、ユーザの写真を撮影し、撮影したユーザの写真を、無線タグ１１２が埋め込まれた台紙に印刷して作成することを特徴とする請求項７記載のコミュニケーション支援方法をもって解決手段とする。
【００２３】
請求項９の発明によると、無線タグデータ読込装置１２０を使用して、無線タグ付きプリント１１０を作成することができるので、ユーザは無線タグ付きプリント店舗端末装置１００まで出向いていく必要がなく、自宅あるいはその他のいたるところで無線タグ付きプリントを作成することができる。
【００２４】
請求項１０では、前記無線タグデータ読込装置１２０により、ユーザＩＤ及びパスワードを入力する工程と、前記データ入出力要求統括装置１４０において、ユーザＩＤ及びパスワードを認証する工程とを含むことを特徴とする請求項７乃至９何れか１項記載のコミュニケーション支援方法をもって解決手段とする。
【００２５】
請求項１０の発明によると、予め格納されているユーザＩＤとパスワードに対応するユーザＩＤとパスワードの保持者のみがシステムを利用でき、システムの安全性が保たれる。
【００２６】
請求項１１では、前記個人データは実データであることを特徴とする請求項７乃至１０何れか１項記載のコミュニケーション支援方法をもって解決手段とする。
【００２７】
請求項１１の発明によると、画像、音声、テキストメッセージ等を記録した電磁媒体等から無線タグデータ読込装置１２０を介して入力することができる。
【００２８】
請求項１２では、前記個人データは別途保存してある実データの所在のありかを示すデータであることを特徴とする請求項７乃至１０何れか１項記載のコミュニケーション支援方法をもって解決手段とする。
【００２９】
請求項１２の発明によると、画像、音声、テキストメッセージ等の代わりに、ＵＲＬやメールアドレス等ですむので、個人情報データベース１５０のメモリの量をセーブすることもできる。
【００３０】
【発明の実施の形態】
図２は本発明のシステムの全体構成を示した図であって、２０は店舗における無線タグ付きプリント店舗端末装置、２１は無線タグ付きプリント、２２は無線タグデータ読込装置、２３はインターネットまたは専用線、２４はデータ入出力要求統括部、２５は無線タグデータ読出装置、２６は個人情報データベースを示している。無線タグは、無線により外部と情報交換する小型の装置である。
【００３１】
この図２と、さらに図３のシーケンス図を用いて、出会い系での自己紹介を例に本発明の第１の実施形態について説明する。第１の実施形態では、無線タグ付きプリント店舗端末装置２０は無線タグデータ読込装置２２を備えておらず、人物Ａが無線タグデータ読込装置２２を保持しているものとする。
【００３２】
人物Ａが店舗へ出向き、無線タグ付きプリント店舗端末装置２０により、固有の識別子が割り当てられた無線タグの付いた無線タグ付きプリント２１を作成する。この無線タグ付きプリント２１は、無線タグが埋め込まれた台紙の上に人物Ａの写真がプリントされたものである。人物Ａは、無線タグ付きプリント２１の無線タグ部分を無線タグデータ読込装置２２に接近させ識別子の取得と要求し、無線タグ付きプリント２１の識別子を読み取る（１）。
【００３３】
続いて人物Ａは、自分について相手にアピールしたいことを書いたテキストや音声、または自分の映像、プロフィール、連絡先等の個人データ（実データ）を、ＰＣから直接、またはそれらを記録した電磁媒体等を介して、または無線タグデータ読込装置２２に入力する。また、無線タグデータ読込装置２２により生成することもできる。ここで、識別子を読み取る操作と、データを読み込む操作は逆の順序でもよい。そして、人物Ａは、無線タグデータ読込装置２２により識別子と入力した個人データとを対応づけて、インターネットまたは専用線２３を介して、個人情報データベース２６に接続したデータ入出力要求統括装置２４へ送信すると、識別子と個人データとが対応した状態で個人情報データベース２６に格納される（２）。
【００３４】
人物Ａは、これまでの処理を行った無線タグ付きプリント２１を相手方の人物Ｂに配布する。
【００３５】
無線タグ付きプリント２１を受け取った人物Ｂは、無線タグ付きプリント２１の無線タグ部分を無線タグデータ読出装置２５に接近させ識別子を要求し、無線タグの識別子を読み取る（３）。
【００３６】
次に、人物Ｂは、無線タグデータ読出装置２５を用いて、取得した識別子に対応する個人データの取得の要求をデータ入出力要求統括装置２４に対して行う。個人データの取得要求を受けたデータ入出力要求統括装置２４は、個人情報データベース２６から識別子に対応するデータを見つけだし無線タグデータ読出装置２５に送信する（４）。
【００３７】
データを受け取った人物Ｂは、無線タグデータ読出装置２５により、音声、映像、テキスト、プロフィール、連絡先等の個人データの表示、再生を行う。
【００３８】
以上の処理により人物Ｂは、プリントされた人物Ａの顔を見るだけでなく、肉声や映像、テキストによる人物Ａのメッセージを伝え知ることができる。
【００３９】
次に、本発明の第２の実施形態について説明する。第２の実施形態では、無線タグデータ読込装置２２は無線タグ付きプリント店舗端末装置２０の内部に備え付けられている。
【００４０】
人物Ａが店舗へ出向き、無線タグ付きプリント店舗端末装置２０により、固有の識別子が割り当てられた無線タグの付いた無線タグ付きプリント２１を作成する。この無線タグ付きプリント２１は、無線タグが埋め込まれた台紙の上に人物Ａの写真がプリントされたものである。人物Ａは、自分について相手にアピールしたいことを書いたテキストや音声、または自分の映像、プロフィール、連絡先等の個人データ（実データ）を、それらを記録した電磁媒体等を介して、無線タグ付きプリント店舗端末装置２０に入力する。または、無線タグ付きプリント店舗端末装置２０により生成することもできる。無線タグ付きプリント店舗端末装置２０に無線タグデータ読込装置２２が内蔵されているので、人物Ａがわざわざ無線タグデータ読込装置２２を所有する必要がなく、無線タグ付きプリント店舗端末装置２０が無線タグ付きプリント２１を作成すると、その無線タグの識別子が人物Ａの個人データと対応づけられて、インターネットまたは専用線２３を介してデータ入出力要求統括装置２４に送られ、個人情報データベース２６に格納される。ここで、識別子を読み取る処理と、個人データを読み込む処理は逆の順序でもよい。
【００４１】
以降の人物Ｂの処理は第１の実施形態と同様である。
【００４２】
次に本発明の第３の実施形態について説明する。第３の実施形態では、無線タグデータ読込装置２２によりプリントのための写真を撮影し、無線タグの埋め込まれた台紙にプリントすることもできるので、人物Ａは、わざわざ店舗まで出向く必要がない。
【００４３】
人物Ａは無線タグデータ読込装置２２により、固有の識別子が割り当てられた無線タグの付いた無線タグ付きプリント２１を作成する。この無線タグ付きプリント２１は、無線タグが埋め込まれた台紙の上に人物Ａの写真がプリントされたものである。無線タグデータ読込装置２２は無線タグ付きプリント２２の無線タグから識別子を読み取る。続いて、人物Ａは、自分について相手にアピールしたいことを書いたテキストや音声、または自分の映像等の個人データ（実データ）を、ＰＣから直接、またはそれらを記録した電磁媒体等を介して、無線タグデータ読込装置２２に入力する。または、無線タグデータ読込装置２２により生成することもできる。ここで、識別子を読み取る操作と、データを読み込む操作は逆の順序でもよい。そして、人物Ａは、無線タグデータ読込装置２２により識別子と入力した個人データとを対応づけて、インターネットまたは専用線２３を介して、データ入出力要求統括装置２４へ送信し、個人情報データベース２６に識別子とデータとが対応した状態で格納する。
【００４４】
以降の人物Ｂの処理は第１、第２の実施形態と同様である。
【００４５】
第１〜第３の実施形態において、無線タグのユーザＩＤとパスワードは予め個人情報データベース２６に保存されていて、無線タグデータ読込装置２２において入力されたユーザＩＤとパスワードを認証する実施形態も考えられる。ユーザＩＤとパスワードは、無線タグの縁に予め印刷されている場合や、無線タグデータ読込装置２２により読み込まれるように電子情報として存在する場合等が考えられる。
【００４６】
また、第１〜第３の実施形態において、人物Ａが所望のデータを自己のホームページ等に予め載せておき、そのＵＲＬ等を個人情報データベース２６に保存する実施形態も考えられる。
【００４７】
なお、本発明は、周知のコンピュータに媒体若しくは通信回線を介して、図１の機能ブロック図に示された機能を実現するプログラム、あるいは図３のシーケンス図に示される手順を備えるプログラムをインストールすることによって実現可能である。
【００４８】
【発明の効果】
以上説明したように、本発明によれば、プリントの絵による視覚的な情報だけでなく、画像、音声、動画等により、プリントを受け取った相手方に対して自己のＰＲをすることができ、ユーザ間でのコミュニケーションの幅を広げることができる。
【図面の簡単な説明】
【図１】本発明のシステムを示す機能ブロック図
【図２】本発明の一実施形態に係るシステム全体の構成を示す図
【図３】本発明の一実施形態に係る処理の流れを示したシーケンス図
【符号の説明】１００、２０…無線タグ付きプリント店舗端末装置、１０１…写真撮影手段、１０２…写真印刷手段、１１０、２１…無線タグ付きプリント、１１１…プリント、１１２…無線タグ、１１３…無線タグデータ読込装置通信手段、１１４…無線タグデータ読出装置通信手段、１２０、２２…無線タグデータ読込装置、１２１…データ読込手段、１２２…無線タグ付きプリント通信手段、１２３…データ入出力要求統括装置通信手段、１２４…写真撮影手段、１２５…写真印刷手段、１３０、２５…無線タグデータ読出装置、１３１…個人データ表示手段、１３２…無線タグ付きプリント通信手段、１３３…データ入出力要求統括装置通信手段、１４０、２４…データ入出力要求統括装置、１４１…データベース格納手段、１４２…個人データ読出手段、１４３…無線タグデータ読込装置通信手段、１４４…無線タグデータ読出装置通信手段、１４５…ＩＤパスワード認証手段、１５０、２６…個人情報データベース、２３…インターネット／専用線。
【図１】
2004164119.tif 000003
【図２】
2004164119.tif 000004
【図３】
2004164119.tif 000005